(57)【要約】【課題】  小型軽量化とコード交換作業性の向上を可能にした刈払機用ロータリーカッタの提供。【解決手段】  駆動シャフトを介して回転駆動される切断ヘッドより当該ヘッドの半径方向に延出された少なくとも一つの所望長さのコードにより草、芝等を刈り払いする刈払機用ロータリーカッタであって、切断ヘッド本体に前記コードの一端を固定する少なくとも一つの締付け手段を有し、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、前記コード締付け手段が切断ヘッド本体内部の駆動シャフト連結軸筒部近傍に配設され、かつコード抜き取り用コード出口が駆動シャフト連結軸筒部側に設けられ、コードの内側端部を前記コード出口より当該切断ヘッド本体の駆動シャフト連結軸筒部の側壁に沿って外部に延出させるごとく構成されていることを特徴とする。【選択図】    図１
2007175013.tif 000002
【特許請求の範囲】
【請求項１】
駆動シャフトを介して回転駆動される切断ヘッドより当該ヘッドの半径方向に延出された少なくとも一つの所望長さのコードにより草、芝等を刈り払いする刈払機用ロータリーカッタであって、ケースとカバーとで構成された切断ヘッド本体に前記コードの一端を固定する少なくとも一つの締付け手段を有し、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、前記コード締付け手段が切断ヘッド本体内部の駆動シャフト連結軸筒部近傍に配設され、かつコード抜き取り用コード出口が駆動シャフト連結軸筒部側に設けられ、コードの内側端部を前記コード出口より当該切断ヘッド本体の駆動シャフト連結軸筒部の側壁に沿って外部に延出させるごとく構成されていることを特徴とする刈払機用ロータリーカッタ。
【請求項２】
前記コード締付け手段は、切断ヘッド本体に回動可能に軸支されかつばねにて常時一定方向の回転力を付勢された一対のラチェットで構成され、該ラチェットにてコードがクランプされて締付けられる方式となしていることを特徴とする請求項１に記載の刈払機用ロータリーカッタ。
【請求項３】
前記駆動シャフト連結軸筒部の側壁に断面溝形のコード案内ガイドを突設したことを特徴とする請求項１または２に記載の刈払機用ロータリーカッタ。
【発明の詳細な説明】
【技術分野】
【０００１】
本発明は、モータ等により駆動シャフトを介して回転駆動される切断ヘッドの半径方向に延出された所望長さのコードにより草、芝等を刈り払いする刈払機用のロータリーカッタに係り、より詳しくは前記コードが摩耗した時に当該コードを抜き取り新しいコードと容易に交換できる刈払機用ロータリーカッタに関するものである。
【背景技術】
【０００２】
従来、この種のロータリーカッタとしては、例えば中央に駆動シャフト連結部を有し外周に側壁が設けられた円板状の基板と、該基板に向い合って側壁に着脱可能に取付けられたほぼ円筒状の保護カバーとから構成された切断ヘッドの内部に、回転して草、芝などの刈り払いを行う所望長さのコードを締付けるための締付け手段が前記円板状の基板に設けられ、その締付け手段はコイルばねや捩じりばね等の弾性部材とカム形状や円筒棒形状などの締付け部材によりコードを前記基板の側壁に設けた押圧壁に押え付けて固定する方式となしたものが提案されている（特許文献１参照）。
【０００３】
また、図３、図４に示すごとく、中央部に駆動シャフト連結軸筒部１０−１ａを有するケース１０−１と、中央部に前記駆動シャフト連結軸筒部１０−１ａの貫通孔１０−２ａを有する前記ケース１０−１と対をなすカバー１０−２とからなる円盤状の切断ヘッド本体１０の外周端部に、所望長さのコード１２を締付けるための締付け手段１１が設けられ、切断ヘッド本体１０内に差し込まれた所望長さのコード１２が摩耗した場合、当該コードを切断ヘッド本体１０から抜き取り新しいコードと取替える方式のロータリーカッタが知られている。このロータリーカッタの前記コード締付け手段１１は、切断ヘッド本体１０の側壁に形成された開口に設けられたコードガイド１１−１の内側に設置され、その構造は、切断ヘッド本体１０のカバー１０−２側に突設した該カバー１０−２とケース１０−１とを締結用ねじ１２にて締結するための支軸１０−３に回動可能に軸支されかつ支軸１０−３に外装したばね１１−３にて常時一定方向の回転力を付勢された一対のラチェット１１−２で構成されている。すなわち、このコード締付け手段１１はコード導出用出口（コードガイド）１１−１より切断ヘッド本体１０内に差し込まれた所望長さのコード１２の一端が一対のラチェット１１−２にてクランプされて締付けられる方式となっている。そのため、このロータリーカッタの場合は、前記ラチェット１１−２と切断ヘッド本体中央部の駆動シャフト連結軸筒部１０−１ａとの間に、コードの交換時にコード１５を抜き取る際に当該コードを掴むためのスペース１０−４が設けられている。
なお、切断ヘッド本体１の駆動シャフト１３の装着は、図３に示すように、切断ヘッド本体１１の底部に被せる蓋体１４を介して連結ボルト１５により行われる構造となっている。
【特許文献１】特開平１０−９８９３１号公報
【発明の開示】
【発明が解決しようとする課題】
【０００４】
しかしながら、前記した特許文献１に記載されているロータリーカッタの場合は、摩耗したコードを新しいコードと取替える際には、駆動シャフト連結部を有する切断ヘッド本体のカバーをその都度取り外して、摩耗したコードを取出し、新しいコードを装着しなければならないため、コードの交換作業に手間がかかるという欠点がある。
また、図３、図４に示すロータリーカッタの場合は、摩耗したコードを新しいコードと取替える際に前記特許文献１に記載されているロータリーカッタのように切断ヘッドを分解する必要はないものの、ラチェット１１−２と切断ヘッド本体中央部の駆動シャフト連結軸筒部１０−１ａとの間に、摩耗したコード１５を抜き取る際に当該コードを掴むためのスペース１０−４を設ける必要があるため、切断ヘッド自体の外径が大きくならざるを得ない上、重量も重く、その上該切断ヘッドを取付ける刈払機本体も大型化を余儀なくされるという欠点がある。
【０００５】
本願発明は、特に前記した図３、図４に示す従来のロータリーカッタの欠点を解消するためになされたもので、小型軽量化とコード交換作業性の向上を可能にした刈払機用ロータリーカッタを提供することを目的とするものである。
【課題を解決するための手段】
【０００６】
本発明に係る刈払機用ロータリーカッタは、駆動シャフトを介して回転駆動される切断ヘッドより当該ヘッドの半径方向に延出された少なくとも一つの所望長さのコードにより草、芝等を刈り払いする刈払機用ロータリーカッタであって、ケースとカバーとで構成された切断ヘッド本体に前記コードの一端を固定する少なくとも一つの締付け手段を有し、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、前記コード締付け手段が切断ヘッド本体内部の駆動シャフト連結軸筒部近傍に配設され、かつコード抜き取り用コード出口が駆動シャフト連結軸筒部側に設けられ、コードの内側端部を前記コード抜き取り用出口より当該切断ヘッド本体の駆動シャフト連結軸筒部の側壁に沿って外部に延出させるごとく構成されていることを特徴とするものである。
また、前記コード締付け手段としては、切断ヘッド本体に回動可能に軸支されかつばねにて常時一定方向の回転力を付勢された一対のラチェットで構成され、該ラチェットにてコードがクランプされて締付けられる方式を用いることができる。
さらに、前記駆動シャフト連結軸筒部の側壁に断面溝形のコード案内ガイドを突設したことを特徴とするものである。
【発明の効果】
【０００７】
本発明の刈払機用ロータリーカッタは、駆動シャフトを介して回転駆動される切断ヘッドより当該ヘッドの半径方向に延出された少なくとも一つの所望長さのコードにより草、芝等を刈り払いする刈払機用ロータリーカッタであって、ケースとカバーとで構成された切断ヘッド本体に前記コードの一端を固定する少なくとも一つの締付け手段を有し、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、コード交換時に摩耗したコードを切断ヘッドより抜き取るためのコード出口を当該切断ヘッド本体の駆動シャフト連結軸筒部側に設け、コードの内側端部を前記コード出口より当該切断ヘッド本体の駆動シャフト連結軸筒部の側壁に沿って外部に延出させて当該コードを切断ヘッドに装着して使用し、コード交換の際にはその摩耗したコードを前記コード出口より外部に延出している部分を掴んで抜き取ることができるので、コード交換作業性が良好となるのみならず、摩耗したコードを抜き取るために当該コードを掴むためのスペースが不要となることにより切断ヘッド自体を小型軽量化でき、排気量の小さな刈払機にも搭載可能となるという優れた効果を奏する。
【発明を実施するための最良の形態】
【０００８】
図１は本発明に係る刈払機用ロータリーカッタの一実施例を示す縦断正面図、図２は図１ａ−ａ線上の横断平面図であり、１は切断ヘッド本体、２はケース、３はカバー、４はコード締付け手段、５はラチェット、６はコードガイド、７はコード抜き取り用出口、８はコード、９は駆動シャフトをそれぞれ示す。
【０００９】
すなわち、図１、図２に示す刈払機用ロータリーカッタは、中央部に駆動シャフト連結軸筒部２−１を有するケース２と、中央部に前記駆動シャフト連結軸筒部２−１の貫通孔３−１を有する、前記ケース２と対をなすカバー３とからなる円形の切断ヘッド本体１の外周端部に、所望長さのコード８を締付けるための締付け手段４（ここでは２組）が設けられている。このコード締付け手段４は、前記駆動シャフト連結軸筒部２−１に近接して設けられ、その構造は従来のものと同様、切断ヘッド本体１の側壁に形成された開口部にケース２とカバ３間に挟持されるように設けられたコードガイド６の内側に設置され、その構造は、切断ヘッド本体１のカバー３側に突設した支軸３−２に回動可能に軸支されかつ該支軸３−２に外装したばね３−３にて常時一定方向の回転力を付勢された一対のラチェット５で構成されている。すなわち、このコード締付け手段４は、コードガイド６より切断ヘッド本体１内に差し込まれた所望長さのコード８の一端が、前記ばね３−３にて一定方向の回転力を付勢された一対のラチェット５にてクランプされて締付けられる方式となっている。なお、ケース２とカバー３は、各一対のラチェット５が取着されている４本の支軸３−２の部分にケース２を貫通して螺着された締結用ねじ１−２にて一体に結合されている。
【００１０】
また、本発明では、上記コード締付け手段４の駆動シャフト連結軸筒部２−１側にコード抜き取り用コード出口７が設けられ、さらにこのコード出口７の部分に前記駆動シャフト連結軸筒部２−１の側壁部に断面溝形のコード案内ガイド３−４とコード案内円弧状面２−２が設けられている。前記コード案内ガイド３−４は切断ヘッド本体１のカバー３側に設けられ、コード案内円弧状面２−２はケース２側の駆動シャフト連結軸筒部２−１の首下部に設けられている。
【００１１】
上記構成の刈払機用ロータリーカッタにおいて、作業を行うにあたり、切断ヘッド本体１は駆動シャフト連結軸筒部２−１の部分が駆動シャフト９に装着される。その装着は、図１に示すように、切断ヘッド本体１の底部に被せる蓋体１−５を介して連結ボルト１−６により行われる。所望長さのコード８の一端部は、切断ヘッド本体１の側壁部に形成された開口に設けられたコードガイド６より差し込まれて内部へ案内されかつ一対のラチェット５間を通過してコード抜き取り用コード出口７を通り、さらに駆動シャフト連結軸筒部２−１の側壁部に設けられた断面溝形のコード案内ガイド３−４および駆動シャフト連結軸筒部２−１の首下部に設けられたコード案内円弧状面２−２に沿ってほぼＵ字形に方向転換されて切断ヘッド１の外側へその内端部を導出させる。一対のラチェット５間でのコード８の通過は、図２に示すラチェット５の場合は当該ラチェット５をばね３−３の付勢力に抗して矢印ア方向に回転させ、所定の位置で停止したコード８がばね３−３の付勢力で一対のラチェット５との間に締付けられて固定される。なお、コード８のコード抜き取り用コード出口７からの延出長さは、コード交換の際に当該コードを把持できる程度の長さでよい。
【００１２】
コード８を切断ヘッド１に装着後にいずれかの方向に回転する切断ヘッド１にあっては、コード８のラチェット５による締付け力は当該切断ヘッド１の回転により発生する遠心力のために増加されるので、コード８はより強固にクランプされる。
【００１３】
コード８が摩耗した場合の当該コード８の交換に際しては、切断ヘッド１の外側へ導出させている当該コードの内側端部を掴んで引張って抜き取る。摩耗したコード８を抜き取ると、再び新しいコード８を切断ヘッド本体１の側壁部に形成された開口に設けられたコードガイド６より差し込んでその内端部をコード抜き取り用コード出口７より切断ヘッドの外側へ延出させた状態で一対のラチェット５により固定して交換作業を終了する。
【産業上の利用可能性】
【００１４】
本発明の刈払機用ロータリーカッタは、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、コード交換時に摩耗したコードを切断ヘッドより抜き取るためのコード出口を当該切断ヘッド本体の駆動シャフト連結軸筒部側に設け、コードの内側端部を前記コード出口より当該切断ヘッド本体の駆動シャフト連結軸筒部の側壁に沿って外部に延出させて当該コードを切断ヘッドに装着して刈払作業を行い、コード交換の際にはその摩耗したコードを前記コード出口より外部に延出している部分を掴んで抜き取ることができるので、コード交換作業性が良好であるのみならず、摩耗したコードを抜き取るために当該コードを掴むためのスペースが不要となることにより切断ヘッド自体を小型軽量化でき、排気量の小さな刈払機にも搭載可能となり、極めて実用性に富むものである。
【図面の簡単な説明】
【００１５】
【図１】本発明に係る刈払機用ロータリーカッタの一実施例を示す縦断正面図である。
【図２】図１ａ−ａ線上の横断平面図である。
【図３】本発明の対象とする従来の刈払機用ロータリーカッタの一実施例を示す縦断正面図である。
【図４】図３ｂ−ｂ線上の横断平面図である。
【符号の説明】
【００１６】
１  切断ヘッド本体
１−２  締結用ねじ
２  ケース
２−２  コード案内円弧状面
３  カバー
３−１  貫通孔
３−２  支軸
３−３  ばね
３−４  コード案内ガイド
４  コード締付け手段
５  ラチェット
６  コードガイド
７  コード抜き取り用出口
８  コード
９  駆動シャフト
【図１】
2007175013.tif 000003
【図２】
2007175013.tif 000004
【図３】
2007175013.tif 000005
【図４】
2007175013.tif 000006